(57)【特許請求の範囲】
【請求項１】
ほゞ四角形にて所定の高さを有するように構成した枠体の内側部に、洗濯機の脚を載置する載置部を前記枠体の上側に位置させて具えると共に、台自体の脚部とを具え、枠体の側面部に、洗濯機の排水ホースを通すことが可能な挿通部を形成したことを特徴とする洗濯機用置き台。
【請求項２】
枠体の内部に排水ホースを保持する保持手段を具えたことを特徴とする請求項１記載の洗濯機用置き台。
【請求項３】
枠体を、骨組みに、前後左右のカバーを装着して構成し、そのうちの少なくとも前面のカバーを外方より取外し可能としたことを特徴とする請求項１記載の洗濯機用置き台。
【発明の詳細な説明】
【０００１】
【発明の属する技術分野】
本発明は洗濯機を載置する洗濯機用置き台に関する。
【０００２】
【発明が解決しようとする課題】
従来より、洗濯機は家屋の床面やベランダ等に直接置かれるか、あるいは防水パンを置いた上で、その上に置かれ、使用されている。
これに対し、例えばドラム式の洗濯機においては、洗濯物出入口が一般に前面にあるため、洗濯物の出し入れをするときには、使用者が腰をかがめてそれを行う必要があり、取扱性が悪かった。
【０００３】
又、洗濯物出入口が上面にある通常の洗濯機においても、その高さが低く感じられる使用者があって、洗濯物の出し入れがしにくく取扱性が悪いと感じられることがあった。
更に、洗濯機を置いた状態での排水ホースの処理は、家屋の排水口が洗濯機の排水ホースの通常存する側とは反対側にある場合、排水ホースを洗濯機の背部後方を通して反対側に出す必要があり、作業が面倒であった。
【０００４】
更に、この場合、洗濯機の背部後方にスペースの余裕がない場合には、洗濯機の裏蓋を取外した上で、洗濯機内部の導水ホースの向きを反対側に変え、そして、この導水ホースの先端部に排水ホースを接続し直すという必要があり、作業が一層面倒であった。
加えて、家屋の排水口が洗濯機の下方にある場合には、専用のＬ字パイプを購入し、それの先端部を家屋の排水口に挿入し、基端部に洗濯機の排水ホースを接続するという必要があり、その専用のＬ字パイプのために使用者が経済的負担をしいられていた。
【０００５】
本発明は上述の事情に鑑みてなされたものであり、従ってその目的は、洗濯機の取扱性を良くできると共に、洗濯機の排水ホースの処理が容易にでき、更にその排水ホース処理のための使用者の経済的負担を軽減できる洗濯機用置き台を提供するにある。
【０００６】
【課題を解決するための手段】
上記目的を達成するために、本発明の洗濯機用置き台は、ほゞ四角形にて所定の高さを有するように構成した枠体の内側部に、洗濯機の脚を載置する載置部を前記枠体の上側に位置させて具えると共に、台自体の脚部とを具え、枠体の側面部に、洗濯機の排水ホースを通すことが可能な挿通部を形成したことを特徴とする（請求項１の発明）。
【０００７】
このものによれば、置き台における枠体の載置部に洗濯機の脚を載置することで、洗濯機の設置高さが増し、ドラム式洗濯機においては、前面にある洗濯物出入口を通じて洗濯物の出し入れをするときに、使用者が腰をかがめてそれを行う必要がなくなる。又、通常の洗濯機においては、その高さが低く感じられることがなくなる。
一方、洗濯機の排水ホースの処理については、家屋の排水口が洗濯機の排水ホースの通常存する側とは反対側にある場合や洗濯機の下方にある場合、排水ホースを枠体側面部の挿通部に通してその処理ができるようになる。
【０００８】
この場合、枠体の内部に排水ホースを保持する保持手段を具えると良い（請求項２の発明）。
このものでは、枠体側面部の挿通部から枠体内部に導入した排水ホースの固定が、保持手段によりできるようになる。
【０００９】
又、枠体を、骨組みに、前後左右のカバーを装着して構成し、そのうちの少なくとも前面のカバーを外方より取外し可能とするのも良い（請求項３の発明）。
このものでは、使用状態で、枠体内部の点検をするときに、枠体から洗濯機を下ろすまでもなく、前面のカバーを外方より取外すことで、それができるようになる。
【００１０】
【発明の実施の形態】
以下、本発明の一実施例につき、図面を参照して説明する。
まず、図１には、ドラム式の洗濯機１と、それ用の置き台２とを示している。このうち、ドラム式の洗濯機１は、前面に洗濯物出入口３を有し、この出入口３を開閉する扉４を枢設している。
【００１１】
又、このドラム式の洗濯機１の内部には、図示しないが、洗濯槽であり、且つ脱水槽でもあって、更に乾燥室でもあるドラムと、このドラムを収容した水槽、及びドラム内で洗濯、脱水、及び乾燥を行うための、モータや、熱風供給装置、除湿装置等を配設しており、前面の上部には、それらの運転に係る操作をするための操作パネル５を設けている。
【００１２】
更に、このドラム式の洗濯機１の左右両側面部の下部には、それぞれ排水ホース接続口６を形成しており（右側面部のもののみ図示）、そのいずれかを選択して、排水ホース７を取外し可能に接続するようにしている。加えて、このドラム式の洗濯機１の内部には、図示しないが、上述の水槽の内部からの排水に供する導水ホースを配設して、この導水ホースの先端部を、一方（この場合、右側）の排水ホース接続口６に接続している。従って、この導水ホースの先端部を接続した排水ホース接続口６に排水ホース７の基端部７ａを接続すれば、上記水槽から機外への排水が、導水ホースの向きを変える作業を行うことなくできるものであり、この導水ホースの先端部を接続した一方の排水ホース接続口６側（この場合、右側）が、排水ホース７が通常存する側（接続される側）である。
【００１３】
このほか、洗濯機１の外底部の四隅部には、詳しくは図示しないが、それぞれ突出量調整可能な脚８を設けており、これによって、洗濯機１の高さを微調節し水平度調節ができるようになっている。
【００１４】
これに対して、置き台２は枠体９を主体としており、この枠体９は、骨組み１０とカバー１１〜１４とで、ほゞ四角形の、所定の高さ（例えば２０ｃｍ程度）を有する中空のボックス状に構成しており、上下の両面が開放している。
骨組み１０は、詳細には図２に示すように、縦、横、及び高さ方向の多数本の稜材相当の骨材１０ａを溶接して組成したものであり、その骨材１０ａは、いずれも断面Ｌ字形（図６ないし図８参照）の例えば鋼材から成っている。又、その左右両側の骨材１０ａの前部と後部、及び上側の中間部には、それぞれねじ孔１５，１６，１７を形成している。
【００１５】
しかして、このような骨組み１０に対し、カバー１１〜１４は、鋼板製もしくはプラスチック製で、骨組み１０の前後左右の四面にその各面を覆うように装着している。このうち、前面のカバー１１は後面のカバー１２と同一形状であり、従って、これらの寸法は同じで、それぞれ、上縁部に折返し部１１ａ、１２ａを有し、左右の両側縁部に折曲部１１ｂ，１２ｂを有していて、この折曲部１１ｂ，１２ｂにそれぞれ取付孔１１ｃ，１２ｃを形成している。
【００１６】
又、左側面のカバー１３は右側面のカバー１４と同一形状であり、従って、これらも寸法が同じで、それぞれ、上縁部に折返し部１３ａ、１４ａを有し、前後の両側部に突出部１３ｂ，１４ｂを有している。更に、これら左右両側面のカバー１３，１４の各中央部には、前記洗濯機１の排水ホース７を通すことが可能な径の挿通部である孔部１８を、孔枠１８ａにより囲って形成している。
【００１７】
この構成で、骨組み１０に対しては、最初に、後面のカバー１２の折返し部１２ａを骨組み１０の後側の上部の骨材１０ａの上縁部に掛け、折曲部１２ｂを左右両側の骨材１０ａの後部外面に当てて、各取付孔１２ｃから各ねじ孔１６へそれぞれ図３及び図４に示すねじ１９を螺挿して取付けている。
【００１８】
この後、左右両側面のカバー１３，１４の折返し部１３ａ，１４ａをそれぞれ骨組み１０の左右両側の上部の骨材１０ａの上縁部に掛けつつ、後側の突出部１３ｂ，１４ｂを上記後面のカバー１２の折曲部１２ｂと骨組み１０との間の隙間にそれぞれ差し込んでいる。
【００１９】
そして、その後、前面のカバー１１の折曲部１１ｂと骨組み１０との間の隙間に上記左右両側面のカバー１３，１４の前側の突出部１３ｂ，１４ｂをそれぞれ差し込ませるようにして、折返し部１１ａを骨組み１０の前側の上部の骨材１０ａの上縁部に掛け、その上で、各取付孔１１ｃから各ねじ孔１５へそれぞれ図３及び図４に示したのと同様のねじ１９を螺挿して取付けている。
【００２０】
以上のように取付けたカバー１１〜１４は、上述と逆の手順を経ることにより取外しが可能であり、かくして、カバー１１〜１４を骨組み１０に取外し可能に装着している。又、このように構成した枠体９の幅、奥行は、前記洗濯機１の底部とほゞ同じとしている（若干大きい）。
【００２１】
枠体９の内側部中、上側の四隅部には、例えば三角形の鋼板から成る受け板２０を骨組み１０に溶接して取付けており、下側の四隅部にも、同じく三角形の鋼板から成る脚取付板２１を骨組み１０に溶接して取付けている。
【００２２】
ここで、受け板２０は、前記洗濯機１を脚８の部分で載置するに適した位置にあり、従って、その脚８の部分で洗濯機１を載置する載置部として機能するようになっている。又、脚取付板２１は、置き台２自体の脚２２を取付けるためのもので、該脚２２はねじ部２２ａによりそれぞれ脚取付板２１に下方よりねじ込んで突出量調整可能に取付けており、これによって、置き台２の高さを微調節し水平度調節ができるようになっている。なお、脚２２は、ねじ部２２ａとは反対側の下面部にゴムなど弾性材から成るクッション２２ｂを有している。
【００２３】
そして、枠体９の上側の中央部には、保持棒２３を左右に架け渡して取付けている。この保持棒２３は例えば鋼材により長尺状に形成したもので、その前後の両縁部には補強リブ２３ａを上方に起立させて形成しており、左右の両端部に取付孔２４を形成している。この構成で、取付孔２４から骨組み１０の前記ねじ孔１７へ図２に示すねじ２５を螺挿し、もって、保持棒２３を枠体９に取付けている。
【００２４】
なお、保持棒２３に対しては、図６ないし図８に示す保持バンド２６が組として存在しており、この保持バンド２６は、図５に示すように、その両端部２６ａ、２６ｂを通した止め輪２７のラチェット作用により、一端部２６ａを矢印Ａで示すごとく引くだけで、環部２６ｃの径が縮小されてその状態に保持されるものである。
【００２５】
次に、上記構成のものの作用を述べる。
洗濯機１を設置する折り、設置面には、最初に置き台２を置く。この状態で、図６に示すように、家屋の排水口２８が、洗濯機１の排水ホース７の通常存する側（この場合、右側）とは反対側にある場合、洗濯機１に接続する前の排水ホース７を、枠体９の右側の孔部１８から枠体９内に通し、更に枠体９の左側の孔部１８から枠体９外に出して、その先端部７ｂを排水口２８に差し込む。又、このときには、排水ホース７の、枠体９内に位置した途中部分を、保持棒２３に３本の保持バンド２６によってたるみのないように縛り付け固定する。
【００２６】
これに対して、図７に示すように、家屋の排水口２９が置き台２の下方で、左側寄りにある場合には、上記排水ホース７を、枠体９の右側の孔部１８から枠体９内に通し、その先端部７ｂを排水口２９に差し込む。又、このときには、排水ホース７の、枠体９内に位置した途中部分を、保持棒２３に２本の保持バンド２６によってたるみのないように縛り付け固定する。
【００２７】
更に、図８に示すように、家屋の排水口３０が置き台２の下方で、右側寄りにある場合には、上記排水ホース７を、枠体９の右側の孔部１８から枠体９内に通し、その先端部７ｂを排水口３０に差し込む。又、このときには、排水ホース７の、枠体９内に位置した途中部分を、保持棒２３に１本の保持バンド２６によってたるみのないように縛り付け固定する。
従って、本構成のものの場合、保持棒２３と保持バンド２６は、基台２の枠体９内に排水ホース７を保持する保持手段として機能するものである。
【００２８】
そして、上述のようにそれぞれ排水ホース７の処理を行った後、置き台２の枠体９上には、洗濯機１を、受け板２０（載置部）上にそれぞれ脚８を載置して設置する。これにより、図９に示すように洗濯機１の設置高さが増す。この後、洗濯機１の右側の排水ホース接続口６に、排水ホース７の基端部７ａを差し込み接続する。
【００２９】
このように本構成のものでは、置き台２における枠体９の受け板２０上に洗濯機１の脚８を載置することで、洗濯機１の設置高さが増す。これにより、ドラム式の洗濯機１においては、前面にある洗濯物出入口３を通じて洗濯物の出し入れをするときに、使用者が腰をかがめてそれを行うという必要がなくなり、取扱性を良くすることができる。又、通常の洗濯機においては、上面にある洗濯物出入口の高さが低く感じられることがなくなるものであり、これによっても、洗濯物の出し入れをしやすくでき、取扱性を良くすることができる。
【００３０】
しかも、洗濯機１の排水ホース７を初めとした洗濯機の排水ホースの処理については、家屋の排水口２８，２９，３０が洗濯機の排水ホースの通常存する側とは反対側にある場合や洗濯機の下方に位置する場合、前述のように、排水ホースを枠体９の側面部の挿通部である孔部１８に通してその処理ができるものであり、排水ホースの処理が、従来のもののような面倒な作業を要することなく、容易にできる。
【００３１】
更に、家屋の排水口が洗濯機の下方に位置する場合の排水ホースの処理に、従来のもののようなそのためだけのＬ字パイプを必要とせず、洗濯機の設置高さを増す置き台２を利用してその処理ができるので、使用者の経済的負担を軽減することができる。
【００３２】
加えて、本構成のものの場合、置き台２の枠体９の内部に排水ホース７を保持する保持手段として保持棒２３と保持バンド２６を具えており、これによって、上述の枠体９の側面部の孔部１８から枠体９の内部に導入した排水ホース７の固定ができるから、その枠体９内で排水ホース７にたるみを生じるようなことをなくし得、枠体９に対する排水ホース７の振動による接触を防止して、騒音の発生、排水ホース７の損傷をなくすことができる。
【００３３】
更に、枠体９を、骨組み１０に前後左右のカバー１１〜１４を取外し可能に装着して構成しており、これによって、使用状態で、枠体９の内部での水漏れなど、枠体９内部の点検をするときに、枠体９から洗濯機１を下ろすまでもなく、前面のカバー１１を外方より取外すだけのことで、それができるようになり、容易にできる。
【００３４】
なお、本構成のものでは、更に、前面のカバー１１と後面のカバー１２、並びに左側面のカバー１３と右側面のカバー１４とを、それぞれ同一形状としており、それによって、それらの成形型を２種類で済ませることができ、製造費用の削減を図ることができる。又、この場合、組立ても、その前後及び左右をそれぞれ逆にしてもできるので、作業性を良くすることができる。
【００３５】
そして又、左右両側面のカバー１３，１４は、前後両面のカバー１１，１２と骨組み１０との間の隙間にそれぞれ差し込むだけで取付けるようにしており、それによって、それらの取付けがねじを要さず容易にできる。更に、この場合、前後両面のカバー１１，１２を骨組み１０にそれぞれねじ１９によって取付ける折りに、左右両側面のカバー１３，１４まで取付孔合わせをする必要がなく、枠体９の組立性を良くすることができる。
【００３６】
なお、カバー１１〜１４のうち、外方から取外し可能とするのは前カバー１１だけであっても良い。
そのほか、本発明は上記し且つ図面に示した実施例にのみ限定されるものではなく、要旨を逸脱しない範囲内で適宜変更して実施し得る。
【００３７】
【発明の効果】
本発明は以上説明したとおりのもので、下記の効果を奏する。
請求項１の洗濯機用置き台によれば、洗濯機の取扱性を良くできると共に、洗濯機の排水ホースの処理が容易にでき、更にその排水ホース処理のための使用者の経済的負担を軽減できる。
【００３８】
請求項２の洗濯機用置き台によれば、枠体内で排水ホースにたるみを生じるようなことをなくし得て、枠体に対する排水ホースの振動による接触を防止し、騒音の発生、排水ホースの損傷をなくすことができる。
請求項３の洗濯機用置き台によれば、枠体内部の点検をするときに、それが枠体から洗濯機を下ろすまでもなく、容易にできる。
【図面の簡単な説明】
【図１】本発明の一実施例を示す、洗濯機と置き台との分解斜視図
【図２】置き台の分解斜視図
【図３】置き台のカバーの一部の拡大分解斜視図
【図４】置き台の一部の拡大斜視図
【図５】保持バンド単体の正面図
【図６】排水ホースの処理の様子を示す図その１
【図７】排水ホースの処理の様子を示す図その２
【図８】排水ホースの処理の様子を示す図その３
【図９】置き台上に置いた洗濯機の設置状態の斜視図
【符号の説明】
１は洗濯機、２は置き台、７は排水ホース、８は脚、９は枠体、１０は骨組み、１１〜１４はカバー、１８は孔部（挿通部）、２０は受け板（載置部）、２２は脚、２３は保持棒（保持手段）、２６は保持バンド（保持手段）を示す。
【図１】
0003641568.tif 000002
【図２】
0003641568.tif 000003
【図３】
0003641568.tif 000004
【図４】
0003641568.tif 000005
【図５】
0003641568.tif 000006
【図６】
0003641568.tif 000007
【図７】
0003641568.tif 000008
【図８】
0003641568.tif 000009
【図９】
0003641568.tif 000010